(57)【要約】【課題】表示枠、開閉装置及び表示装置等を含む演出ユニットの前扉への組付け作業を効率的に行うことができるようにする。【解決手段】演出ユニット５は、前扉４に設けた開口４３の周囲を飾るように配置される表示枠６と、表示画面を有し、かつ表示画面が前方へ向けて配置される表示装置７と、表示画面を開閉可能な扉部材を含む開閉装置８と、前面に開閉装置８、表示枠６の順で取り付け可能で、また裏面に表示装置７が取り付け可能な枠状のベース部材１１とを備える。ベース部材１１は、表示枠６、開閉装置８及び表示装置７をそれぞれ取り付けた状態で、前扉４における開口４３の周辺前面にボルト５２により固定可能なねじ孔１１５を有する。  【選択図】  図９
2008245979.tif 000002
【特許請求の範囲】
【請求項１】
各種遊技機器を収容した筐体の前面に設けた前扉に、遊技状況に応じて、表示画面に演出情報を表示したり前記表示画面を開閉したりする演出ユニットを備えた遊技機において、
前記演出ユニットは、前記前扉に設けた開口の周囲を飾るように配置される表示枠と、前記表示画面を有し、かつ前記表示画面が前方へ向けて配置される表示装置と、前記表示画面を開閉可能な扉部材を含む開閉装置と、前面に前記開閉装置、前記表示枠の順で取り付け可能で、また裏面に前記表示装置が取り付け可能な枠状のベース部材とを備え、
前記ベース部材は、前記表示枠、前記開閉装置及び前記表示装置をそれぞれ取り付けた状態で、前記前扉における前記開口の周辺前面に締結部材により固定可能な取付部を有することを特徴とする遊技機。
【請求項２】
前記表示装置は、前記ベース部材を前記前扉に固定した状態で、前記前扉の裏側から前記ベース部材に対して着脱可能な締結部材により固定したことを特徴とする請求項１記載の遊技機。
【発明の詳細な説明】
【技術分野】
【０００１】
本発明は、各種遊技機器を収容した筐体の前面に設けた前扉に、遊技状況に応じて、表示画面に演出情報を表示したり表示画面を開閉したりする演出ユニットを備えた遊技機に関する。
【背景技術】
【０００２】
遊技機としてのスロットマシンにおいて、遊技機前面すなわち前扉に、各種演出情報を表示可能な表示画面を有する表示装置と、表示画面を開閉可能な開閉装置と、表示装置及び開閉装置の周囲を飾るように前扉に取り付けられる表示枠等を設け、遊技状況に応じて、開閉装置の扉部材を開閉移動させることによって、表示画面を遮蔽したり開放したりして、多彩な演出を行い得るようにしたものがある（例えば、特許文献１参照）。
【特許文献１】特開２００５−４０４１３号公報
【発明の開示】
【発明が解決しようとする課題】
【０００３】
上述のような遊技機においては、表示枠、開閉装置及び表示装置がそれぞれ別々に前扉に組み付けられる構造であるため、それらの前扉に対する組付性が悪い。また、遊技機のメンテナンス等で表示装置を前扉から取り外す必要が生じたとき、各装置が前後に複雑に重なり合って組み付けられているため、表示装置のみを前扉から取り外したい場合でも、他の装置も取り外さなければならず、表示装置の着脱作業が極めて悪い。
【０００４】
本発明は、上述のような課題に鑑みてなされたもので、表示枠、開閉装置及び表示装置等を含む演出ユニットの前扉への組付け作業を効率的に行うことができるようにした遊技機を提供することを目的とする。
【課題を解決するための手段】
【０００５】
本発明によると、上記課題は、次のようにして解決される。
（１）各種遊技機器を収容した筐体の前面に設けた前扉に、遊技状況に応じて、表示画面に演出情報を表示したり前記表示画面を開閉したりする演出ユニットを備えた遊技機において、前記演出ユニットは、前記前扉に設けた開口の周囲を飾るように配置される表示枠と、前記表示画面を有し、かつ前記表示画面が前方へ向けて配置される表示装置と、前記表示画面を開閉可能な扉部材を含む開閉装置と、前面に前記開閉装置、前記表示枠の順で取り付け可能で、また裏面に前記表示装置が取り付け可能な枠状のベース部材とを備え、前記ベース部材は、前記表示枠、前記開閉装置及び前記表示装置をそれぞれ取り付けた状態で、前記前扉における前記開口の周辺前面に締結部材により固定可能な取付部を有する。
【０００６】
（２）上記(１)項において、前記表示装置は、前記ベース部材を前記前扉に固定した状態で、前記前扉の裏側から前記ベース部材に対して着脱可能な締結部材により固定する。
【発明の効果】
【０００７】
本発明によれば、次のような効果が奏せられる。
請求項１記載の発明によると、演出ユニットを、ベース部材に表示枠、開閉装置及び表示装置を組み付けた状態で、前扉に取り付けることができるため、演出ユニットの前扉への組付け作業を効率的に行うことができる。
【０００８】
請求項２記載の発明によると、ベース部材を前扉に固定したまま、表示装置のみを前扉に着脱することができるため、メンテナンス等の作業を効率的に行うことができる。
【発明を実施するための最良の形態】
【０００９】
図１は、本発明を適用した遊技機の斜視図、図２は、演出ユニットの正面図、図３は、演出ユニットの裏面図である。なお、以下の説明においては、図１における左斜め下方を「前方」とし、右斜め上方を「後方」とし、左斜め上方を「左方」とし、また、右斜め下方を「右方」とする。
【００１０】
遊技機（スロットマシン）１は、外周面に複数種類の図柄が描かれた左、中、右３個の回転リール２及びその他の各種遊技機器を収容した筐体３と、筐体３の前面に開閉可能に設けられた合成樹脂製の前扉４を備え、遊技媒体をなす円板状のメダル（コインも含む）を、前扉４の前面右側に設けたメダル投入部２０に投入することによって所定のゲームが行われるものである。
【００１１】
遊技機１の遊技は、遊技者がメダルをメダル投入部２０に投入するか、または、前扉３の前面に設けられたベットボタン２１により予め投入したメダル枚数を電気的に記憶されたクレジット状態のメダルの賭数を設定した後、スタートレバー２２を操作して、全ての回転リール２を回転させることによって開始される。
【００１２】
回転リール２が回転して所定時間が経過した後、前扉４の前面に設けられた３個のストップボタン２３を順次操作して、各回転リール２の回転を停止させ、停止した３個の回転リール２の図柄の組み合わせにより、入賞の有無、及び賞の大小に応じたメダルの配当枚数が確定され、入賞した場合には、予め定めた枚数のメダルが前扉４の下部に設けたメダル受皿４１に払い出される。
【００１３】
前扉４における前面のほぼ中央には、各回転リール２の図柄を３こまずつ視認可能な透視窓４２が設けられ、また同じく上部には、演出ユニット５が設けられている。
【００１４】
図４は、前方から見た演出ユニット５の分解斜視図、図５は、後方から見た演出ユニット５の分解斜視図、図６は、開閉装置の斜視図である。
【００１５】
演出ユニット５は、遊技状況に応じて、光源が点灯、点滅したり、後述の表示画面７１に各種演出情報を表示させたり、表示画面７１を遮蔽したり開放したりして遊技を演出するものであり、前扉４の前面上部に固定される合成樹脂製の表示枠６と、遊技状況に応じた演出情報を表示可能な表示画面７１を有する表示装置７と、遊技状況に応じて表示画面７１を開閉する開閉装置８と、開閉装置８に動力を伝達するための左右の第１駆動装置１０Ａ及び左右の第２駆動装置１０Ｂと、表示枠６、表示装置７、開閉装置８及び各駆動装置１０Ａ、１０Ｂが取り付けられる合成樹脂製の枠状のベース部材１１と、遊技状況に応じて点灯、点滅したりして照明により遊技を演出するセンター照明装置１２及び左右のサイド照明装置１３、１３とを備えている。
【００１６】
表示枠６は、前扉４の上部に設けた開口４３周辺を飾るように前扉４の前面に取り付けられるとともに、その後部には、後述のようにベース部材１１の前面に固定される後向の複数のボス部６１が設けられている。
【００１７】
センター照明装置１２は、ＬＥＤ等の単一色の多数の光源１２１と、表示枠６の前面上部中央に固定され、内部に配置される光源１２１が発する光を屈折、拡散して様々な方向から光を確認できるようにした合成樹脂製のセンターレンズ１２２とを含んでいる。
【００１８】
サイド照明装置１３は、ＬＥＤ等のフルカラーの多数の光源１３１と、表示枠６の表面左右上部に固定され、内部に配置される光源１３１が発する光を屈折、拡散して様々な方向から光を確認できるようにした合成樹脂製のサイドレンズ１３２とを含んでいる。
【００１９】
表示装置７は、ベース部材１１の裏面側中央に固定されるとともに、前面に液晶等で構成される表示画面７１を有し、遊技状況に応じた演出情報を表示画面７１に表示することによって遊技の演出を盛り上げるものである。
【００２０】
ベース部材１１は、前扉４における開口４３の周辺前面に複数のボルト５２により固定されるとともに、表示装置７の表示画面７１の大きさに相当する大きさの開口１１１を有し、開口１１１の裏面側両側部には、演出のための効果音を発生する左右のスピーカ１４が取り付けられている。
【００２１】
ベース部材１１の上部及び下部には、表示枠６を固定するための締結部材をなすボルト５１が挿入される複数の取付孔１１４、及びベース部材１１を前扉４に固定するための締結部材をなすボルト５２が後方から螺合可能な取付部をなすねじ孔１１５がそれぞれ設けられている。
【００２２】
表示装置７をベース部材１１の裏面に固定した状態において、ねじ孔１１５及び表示枠６をベース部材１１に固定したボルト５２の頭部は、表示装置７及びその他の部品により遮られることなく、前扉４の裏面側に露出する。これにより、ボルト５２をねじ孔１１５に螺合するとき、その作業に対して妨げとなるものが一切存在しないため、ボルト５２の着脱作業を容易に行うことができる。
【００２３】
開閉装置８は、表示装置７における表示画面７１を挟むように、表示画面７１の前面に沿って左右方向へ直線移動可能な左右の前扉部材８１及び後扉部材８２と、前扉部材８１及び後扉部材８２を左右方向へ移動可能に支持するためのガイド手段９とを備える。
【００２４】
ガイド手段９は、ベース部材１１の前面に複数のボルト等（図示略）により固定される左右方向を向く上側ガイド９１及び下側ガイド９２と、上側ガイド９１と下側ガイド９２とを上下に連結する左右の連結板９３、９３とを有している。
【００２５】
上側ガイド９１は、左右の前扉部材８１の上部を左右方向へ移動可能に支持するための前扉部材用上部レール９１１と、左右の後扉部材８２の上部を左右方向へ移動可能に支持するための後扉部材用上部レール９１２を有している。
【００２６】
前、後扉部材用上部レール９１１、９１２は、互いに平行に配置されるとともに、縦断面形状がほぼ下向き開口コ字型をなしている。前扉部材用上部レール９１１は、後扉部材用上部レール９１２の上部に固定される。換言すると、前扉部材用上部レール９１１及び後扉部材用上部レール９１２は、互いに上下方向に重畳するように配置される。これにより、上側ガイド９１における前後方向の取付けスペースを、１本のレールの前後幅に抑えることができるため、上側ガイド９１が前扉４の上部に配置されるセンター照明装置１２、サイド照明装置１３等に干渉することがなくなり、センター照明装置１２やサイド照明装置１３等の他部品の配置に与える影響を最小限に抑えることができる。
【００２７】
下側ガイド９２は、左右の前扉部材８１の下部を左右方向へ移動可能に支持するための前扉部材用下部レール９２１と、左右の後扉部材８２の下部を左右方向へ移動可能に支持するための後扉部材用下部レール９２２を有している。
【００２８】
前、後扉部材用下部レール９２１、９２２は、互いに平行に配置されるとともに、縦断面形状がほぼ上向き開口コ字型をなしている。後扉部材用下部レール９２２は、前扉部材用下部レール９２１の後部に固定される。換言すると、前扉部材用下部レール９２１及び後扉部材用下部レール９２２は、互いに前後方向に重畳するように配置される。これにより、前、後扉部材８１、８２の下部を安定した状態で支持することができる。
【００２９】
左右の連結板９３は、表示装置７の表示画面７１を遮ることがないように、互いに左右方向へ隔てて配置され、その上端部は、後扉部材用上部レール９１２の前面に連結され、また、同じく下端部は、前扉部材用下部レール９２１の後面と後扉部材用下部レール９２２の前面との間に連結される。
【００３０】
このように、左右の連結板９３により、上側ガイド９１と下側ガイド９２とを上下に連結することにより、ガイド手段９の剛性を高めて、上側ガイド９１と下側ガイド９２とを常に平行に保ち、各扉部材８１、８２の円滑な作動を保証する。また、下側ガイド９２においては、連結板９３を境にして、その前側に前扉部材用下部レール９２１が配置され、また後側に後扉部材用下部レール９２２が配置されるため、前、後扉部材８１、８２の重さが前後に均等に作用し、前、後扉部材８１、８２をバランス良く支持することができる。なお、本実施形態における左右の連結板９３は、後扉部材用下部レール９２２の一部を上方へ折曲することによって形成される。
【００３１】
左右の前扉部材８１は、合成樹脂で形成されるとともに、上部に設けられた上部スライド部８１３が前扉部材用上部レール９１１に左右方向に移動可能に係合し、また、下部に設けられた下部スライド部８１４が前扉部材用下部レール９２１に左右方向へ移動可能に係合することにより、表示画面７１及び連結板９３の前面に沿って左右方向へ移動可能に支持され、表示画面７１を遮蔽する全閉位置と、表示画面７１を開放する開放位置とを間を往復移動する。
【００３２】
上部スライド部８１３の後面には、ラック８１６が左右方向に沿って設けられている。左側の前扉部材８１に設けられるラック８１６は、左側の第１駆動装置１０Ａにおける後述のピニオン１０１Ａに噛合し、また、右側の前扉部材８１に設けられるラック８１６は、右側の第１駆動装置１０Ａにおける後述のピニオン１０１Ａに噛合する。
【００３３】
合成樹脂製の後扉部材８２は、上部に設けられた上部スライド部８２１が後扉部材用上部レール９１２内に左右方向へ移動可能に係合し、また、下部に設けられた下部スライド部８２２が後扉部材用下部レール９２２内に左右方向へ移動可能に係合することにより、連結板９３の後面及び表示画面７１の前面に沿って左右方向へ移動可能に支持され、表示画面７１を遮蔽する全閉位置と、表示画面７１を開放する開放位置とに移動可能である。
【００３４】
後扉部材８２における下部スライド部８２２の後面には、ラック８２５が左右方向に沿って設けられている。左側の後扉部材８２に設けられるラック８２５は、左側の第２駆動装置１０Ｂにおける後述のピニオン１０１Ｂに噛合し、また、右側の後扉部材８２に設けられるラック８２５は、右側の第２駆動装置１０Ｂにおける後述のピニオン１０１Ｂに噛合する。
【００３５】
各駆動装置１０Ａ、１０Ｂは、ベース部材１１の裏面に固定されるブラケット１０２Ａ、１０２Ｂと、各ブラケット１０２Ａ、１０２Ｂにそれぞれ取り付けられるモータ１０３Ａ、１０３Ｂと、各ブラケット１０２Ａ、１０２Ｂに上下方向を向く支軸により回転可能に支持され、各モータ１０３Ａ、１０３Ｂの動力によりそれぞれ回転可能なピニオン１０１Ａ、１０１Ｂとをそれぞれ備えている。
【００３６】
各第１駆動装置１０Ａは、各前扉部材８１をそれぞれ左右方向へ移動させるもので、ベース部材１１の裏面上部の左右両側に取り付けられることにより、各ピニオン１０１Ａが、ベース部材１１の上部左右に設けられた横長の開口部１１２、１１２からベース部材１１の表面に露出して、各前扉部材８１のラック８１６にそれぞれ噛合することにより、各モータ１０３Ａの動力を各前扉部材８１にそれぞれ伝達する。
【００３７】
各第２駆動装置１０Ｂは、各後扉部材８２をそれぞれ左右方向へ移動させるもので、ベース部材１１の裏面下部の左右両側に取り付けられることにより、各ピニオン１０１Ｂが、ベース部材１１の下部左右に設けられた横長の開口部１１３、１１３からベース部材１１の表面に露出して、各後扉部材８２のラック８２５にそれぞれ噛合することにより、各モータ１０３Ｂの動力を各後扉部材８２にそれぞれ伝達する。
【００３８】
次に、図７〜図１１を参照しつつ演出ユニット５の前扉４に対する取り付け要領について説明する。先ず、図７、８に示すように、ベース部材１１の前面に、各扉部材８１、８２を左右方向へ移動可能に組み付けた開閉装置８のガイド手段９をボルト（図示略）により固定し、また、ベース部材１１の後面に、各駆動装置１０Ａ、１０Ｂを取り付けるとともに、表示装置７の側部に設けた複数の耳片７２に合成樹脂製の工業用ファスナ５０を挿入してベース部材１１に設けた係合孔１１６に係合することによって、表示装置７を固定する。この状態で、複数のボルト５１を後方からベース部材１１に設けた各取付孔１１４に挿入して、表示枠６の上下に設けた各ボス部６１に螺合することにより、ベース部材１１の前面に表示枠６が固定されて、演出ユニット５の組立ては完了する。
【００３９】
続いて、図９に示すように、演出ユニット５を前方から前扉４の上部に設けた開口４３を閉塞するように、前扉４の前面に固定する。演出ユニット５を前扉４に固定するには、前扉４の裏側から複数のボルト５２を、前扉４における開口４３の周辺に設けた取付孔４４に挿入して、ベース部材１１に設けたねじ孔１１５に螺合する。これにより、図１０に示すように、ベース部材１１の前面に、開閉装置８、表示枠６の順で固定し、また裏面に表示装置７を固定した組立て状態の演出ユニット５を、前扉４に取り付けることができる。このとき、ボルト５２の取り付けに際し、遮るものが一切存在しないため、ボルト５２の取付けを容易に行うことができる。
【００４０】
なお、開口４３は、表示枠６の外形より小さく、かつ表示装置７の外形よりも大きくなるように設定されている。
【００４１】
演出ユニット５を前扉４に取り付けた後、遊技機１のメンテナンス、または修理交換等により、表示装置７を前扉４から取り外す必要が生じた場合には、表示装置７をベース部材１１に固定している工業用ファスナ５０を引いて、ベース部材１１に設けた各係合孔１１６から外すことによって、表示装置７のみをベース部材１１、すなわち前扉４の後方から取り外すことができる。また、表示装置７を前扉４に取り付けるには、前扉４の裏面側から、工業用ファスナ５０により表示装置７をベース部材１１の裏面に締結する。このとき、表示装置７の取り外し、取り付けに際し、開口４３が表示装置７の外形よりも大きく、かつ遮るものが一切存在しないため、表示装置７をベース部材１１に対して簡単に脱着することができる。
【００４２】
以上、本発明の実施形態について説明したが、本発明の要旨を逸脱しない範囲内で、本実施形態に対して、次のような種々の変形や変更を施すことが可能である。（ｉ）遊技機１を、遊技媒体がメダル（コインを含む）とするスロットマシンに代えて、遊技媒体がパチンコ玉であるパチンコ機、スロットマシン、及びその他の遊技機とする。
（ii）表示装置７における表示画面７１の前面に、左右の前遮蔽部材８１または後遮蔽部材８２のいずれか一方のみを配置する。
【図面の簡単な説明】
【００４３】
【図１】本発明を適用した遊技機の斜視図である。
【図２】演出ユニットの正面図である。
【図３】演出ユニットの裏面図である。
【図４】前方から見た演出ユニットの分解斜視図である。
【図５】後方から見た演出ユニットの分解斜視図である。
【図６】開閉装置の斜視図である。
【図７】斜め前方から見た演出ユニットの位置分解斜視図である。
【図８】斜め後方から見た演出ユニットの一部分解斜視図である。
【図９】後方から見た組付け前の演出ユニット及び前扉上部の斜視図である。
【図１０】後方から見た組付け後の演出ユニット及び前扉上部の斜視図である。
【図１１】後方から見た組付け後に、表示装置を取り外した状態の演出ユニット及び前扉上部の斜視図である。
【符号の説明】
【００４４】
１  遊技機（スロットマシン）
２  回転リール
３  筐体
４  前扉
５  演出ユニット
６  表示枠
７  表示装置
８  開閉装置
９  ガイド手段
１０Ａ  第１駆動装置
１０Ｂ  第２駆動装置
１１  ベース部材
１２  センター照明装置
１３  サイド照明装置
１４  スピーカ
２０  メダル投入部
２１  ベットボタン
２２  スタートレバー
２３  ストップボタン
４１  メダル受皿
４２  透視窓
４３  開口
４４  取付孔
５０  工業用ファスナ
５１、５２  ボルト（締結部材）
６１  ボス部
７１  表示画面
７２  耳片
８１  前扉部材
８２  後扉部材
９１  上側ガイド
９２  下側ガイド
９３  連結板
１０１Ａ、１０１Ｂ  ピニオン
１０２Ａ、１０２Ｂ  ブラケット
１０３Ａ、１０３Ｂ  モータ
１１１  開口
１１２、１１３  開口部
１１４  取付孔
１１５  ねじ孔（取付部）
１１６  係合孔
１２１  光源
１２２  センターレンズ
１３１  光源
１３２  サイドレンズ
８１３  上部スライド部
８１４  下部スライド部
８１６  ラック
８２１  上部スライド部
８２２  下部スライド部
８２５  ラック
９１１  前扉部材用上部レール
９１２  後扉部材用上部レール
９２１  前扉部材用下部レール
９２２  後扉部材用下部レール
【図１】
2008245979.tif 000003
【図２】
2008245979.tif 000004
【図３】
2008245979.tif 000005
【図４】
2008245979.tif 000006
【図５】
2008245979.tif 000007
【図６】
2008245979.tif 000008
【図７】
2008245979.tif 000009
【図８】
2008245979.tif 000010
【図９】
2008245979.tif 000011
【図１０】
2008245979.tif 000012
【図１１】
2008245979.tif 000013